(57)【要約】      （修正有）【課題】店頭に陳列されている照明器具の包装を開くことなく、その照明器具の発光色や明るさをユーザが実際に目で見て確かめることを可能にする照明器具包装を提供する。【解決手段】照明器具１０を収容する外ケース２０の外面に、ホルダーの電源電極に重ね接続可能な電極部３０を固定する。電極部から外ケースの内部に向けて引き出した電路４０を、外ケースに収容した照明器具の入力部１３に離脱可能に接続する。外ケースに透光部を設ける。【選択図】図２
0003175663.tif 000002
【実用新案登録請求の範囲】
【請求項１】
発光素子の駆動電力の入力部を有する照明器具を収容する外ケースを備えた照明器具包装であって、
電源電極を有するホルダーの上記電源電極に重ね接続可能な電極部が上記外ケースの外面に露出状態で固定されていて、その電極部から上記外ケースの内部に向けて引き出された電路が、上記外ケースに収容された照明器具の上記入力部に離脱可能に接続されていると共に、上記外ケースに、上記照明器具の発光を透過させる透光部が備わっていることを特徴とする照明器具包装。
【請求項２】
上記外ケースに、上記ホルダーに備わっている位置決め孔に挿入されることによって上記電極部を上記電源電極に位置合わせする突片が設けられている請求項１に記載した照明器具包装。
【請求項３】
互いに接続離脱可能な一対のコネクタのうちの一方側コネクタが上記入力部に具備されているのに対し、他方側コネクタが上記電路を形成するリード線の端部に具備されている請求項１又は請求項２に記載した照明器具包装。
【請求項４】
上記照明器具が、自動車のシガーソケットに接続離脱可能なプラグを一端部に備えた電気コードを有し、この電気コードの他端部に、上記一方側コネクタに対して接続離脱可能な相手方コネクタが具備されている請求項３に記載した照明器具包装。
【請求項５】
上記照明器具が、ＬＥＤでなる複数の発光素子を柔軟な帯状の透明樹脂成形体中に並べて封入してなる発光部を備えている請求項１ないし請求項４のいずれか１項に記載した照明器具包装。
【請求項６】
上記照明器具が上記入力部としての口金を有するＬＥＤ発光素子を備えた電球でなり、上記電路が、上記外ケースに固定されて上記入力部に弾接する接片でなる請求項１に記載した照明器具包装。
【考案の詳細な説明】
【技術分野】
【０００１】
本考案は、照明器具包装、特に、照明器具を収容する外ケースを備えた照明器具包装に関する。
【背景技術】
【０００２】
照明器具には、蛍光灯、白熱電球、ＬＥＤ電球などの室内用や室外用の照明器具、イルミネーションやネオンサインなどに用いられる装飾用のＬＥＤ電球などの多種多様なものが知られている。また、一般的に、照明器具は外ケースに収容される（たとえば、特許文献１参照）。また、照明器具は外ケースに収容した状態で店頭に陳列されて販売に供せられており、その外ケースには、それに収容している照明器具の仕様、たとえば発光色や明るさといった発光に関する仕様、定格電圧・電流などの電気的仕様、サイズなど、のユーザに必要な情報を表す文字やイラストなどが表示されていることが多い。
【０００３】
また、照明器具が陳列されている店頭では、陳列商品としての照明器具のサンプルを実際に発光させるという方法で、発光色や明るさをユーザに認識させやすくする、という対策の講じられていることもある。
【先行技術文献】
【特許文献】
【０００４】
【特許文献１】特開２００１−１３０６６７号公報
【考案の概要】
【考案が解決しようとする課題】
【０００５】
照明器具のサンプルを実際に発光させるという方法で、発光色や明るさをユーザに認識させやすくする、という上記したような対策について考察してみると、多種多様な照明器具のすべてについてサンプルを展示して発光させることは、陳列スペース的にもコスト的にも困難である。そのため、店頭でのサンプルの存在する照明器具は全体のうちの一部だけであることが多く、サンプルの展示が行われていない照明器具を選択して購入したいユーザにとっては、その照明器具の外ケースに表示されている仕様、特に、発光色や明るさについての表示を頼りにして、実際の発光状態を目で見て確かめることなく、購入する照明器具を選択することを余儀なくされる。
【０００６】
ところで、近時では、ＬＥＤ発光素子を採用している照明器具が多く出廻り、特に、自動車の車内の局部照明や車内を装飾するための照明には、ＬＥＤ発光素子を採用している照明器具が多く用いられている。そして、そのようなＬＥＤ発光素子を採用している照明器具のユーザにとって、陳列されている照明器具の発光色や明るさを、購入前に包装を開くことなく実際に目で見て確かめることは特に有益であると言われている。
【０００７】
そこで、本考案は、店頭に陳列されている照明器具をユーザが選択した場合に、選択した照明器具の包装を開くことなく、その照明器具の発光色や明るさをユーザが自分自身で実際に目で見て確かめることが可能になる照明器具包装を提供することを目的とする。
【課題を解決するための手段】
【０００８】
本考案に係る照明器具包装は、発光素子の駆動電力の入力部を有する照明器具を収容する外ケースを備えている。そして、電源電極を有するホルダーの上記電源電極に重ね接続可能な電極部が上記外ケースの外面に露出状態で固定されていて、その電極部から上記外ケースの内部に向けて引き出された電路が、上記外ケースに収容された照明器具の上記入力部に離脱可能に接続されていると共に、上記外ケースに、上記照明器具の発光を透過させる透光部が備わっている。
【０００９】
この構成を備えた照明器具包装によると、ホルダーの電源電極に、外ケースの外面に露出状態で固定されている電極部を突き合わせて電気的に重ね接続するだけで、電源電極と電極部とを介してホルダーの電源電極と照明器具の入力部とが電気的接続される。したがって、ホルダーの電源電極を、商用電源やバッテリーなどの電源に接続しておくことによって、外ケースに収容されている照明器具が発光する。そのため、照明器具の発光色や明るさを、外ケースを開くことなく、外ケースの透光部から実際に目で見て確かめることが可能になる。このような作業は、店頭に陳列されている他の照明器具包装についても同様に行うことができるので、ユーザは、他の照明器具包装を選択して同様の作業を繰り返し行うだけで、最適な発光色や明るさの照明器具を選択することが可能になる。
【００１０】
本考案では、上記外ケースに、上記ホルダーに備わっている位置決め孔に挿入されることによって上記電極部を上記電源電極に位置合わせする突片が設けられている、ことが望ましい。この構成が採用されていると、外ケースの突片をホルダーの位置決め孔に挿入するだけで、ホルダーに電源電極に外ケースの電極部を確実に重ね接続することが可能になる。この作用は、ホルダーの電源電極と外ケースの電極部との誤接続を未然に防止することにも役立つ。
【００１１】
本考案では、互いに接続離脱可能な一対のコネクタのうちの一方側コネクタが上記入力部に具備されているのに対し、他方側コネクタが上記電路を形成するリード線の端部に具備されている。という構成を採用することが可能である。この構成であれば、互いに接続されている一対のコネクタを離脱させるだけで、照明器具の入力部が外ケース側から延び出ているリード線から容易に切り離される。そのため、外ケースから取り出してから照明器具を実使用するまでの一連の作業を容易かつ迅速に行うことができるようになる。
【００１２】
本考案では、上記照明器具が、自動車のシガーソケットに接続離脱可能なプラグを一端部に備えた電気コードを有し、この電気コードの他端部に、上記一方側コネクタに対して接続離脱可能な相手方コネクタが具備されている、という構成を採用することが可能である。この構成であれば、照明器具の入力部に具備されている一方側コネクタに、電気コードの他端部に具備されている相手方コネクタを接続するだけで、自動車のシガーソケットから取り出した電力を利用して照明器具を発光させるという実使用形態を採ることが可能になる。
【００１３】
本考案では、上記照明器具が、ＬＥＤでなる複数の発光素子を柔軟な帯状の透明樹脂成形体中に並べて封入してなる発光部を備えているものであってもよい。このものでは、ＬＥＤでなる複数の発光素子を備える帯状の発光部を、自動車のフロントパネルの外縁などに沿わせて配備することが可能である。そのため、そのような発光部を備える照明器具によって自動車の車内の局部照明を行ったり車内を装飾したりすることが可能である。
【００１４】
本考案では、上記照明器具が上記入力部としての口金を有するＬＥＤ発光素子を備えた電球でなり、上記電路が、上記外ケースに固定されて上記入力部に弾接する接片でなる、という構成を採用することも可能である。このものによっても、上記したところと同様に、ＬＥＤ発光素子を備えた電球でなる照明器具の発光色や明るさを、外ケースを開くことなく、外ケースの透光部から実際に目で見て確認することが可能になる。
【考案の効果】
【００１５】
以上説明したように、本考案に係る照明器具包装によると、店頭に陳列されている多数の照明器具の中からユーザが選択した照明器具の包装を開くことなく、その照明器具を実際に発光させることが可能である。そのため、ユーザは、選択した照明器具の実際の発光色や明るさを自分自身で店頭で目で見て確かめることができるという利便性を発揮する。
【図面の簡単な説明】
【００１６】
【図１】本考案の実施形態に係る照明器具包装を一部省略して説明的に示した分解図である。
【図２】照明器具包装の正面視外観を説明的に示した正面図である。
【図３】ホルダーの部分斜視図である。
【図４】ホルダーに照明器具包装をセットした状態の縦断面図である。
【図５】変形例による照明器具包装の外観斜視図である。
【図６】他の実施形態に係る照明器具包装を説明的に示した正面図である。
【考案を実施するための形態】
【００１７】
図１は本考案の実施形態に係る照明器具包装を一部省略して説明的に示した分解図である。
【００１８】
この照明器具包装には、照明器具１０と、外ケース２０と、外ケース２０に固定された電極部３０と、電極部３０から外ケース２０の内部に向けて引き出された電路を形成しているリード線４０と、が含まれていて、照明器具１０が、自動車のシガーソケットに接続離脱可能なプラグ５１を一端部に備えた電気コード５０を有している。
【００１９】
照明器具１０は、柔軟の帯状の透明樹脂成形体中にＬＥＤでなる複数の発光素子１２を並べて封入してなる発光部１１を備えている。そして、そのような細長い帯状の発光部１１の一端部から引き出された引出し線１４と、その引出し線１４の端部に設けられた後述する一方側コネクタ６１とが、発光部１１に備わっている発光素子の駆動電力の入力部１３を形成している。図１では、単一のプラグ５１によって自動車のシガーソケットから取り出した電力を利用して、２つの照明器具１０，１０を発光させることの照明器具を図示してある。
【００２０】
外ケース２０は、照明器具１０やプラグ５１を備える上記リード線４０などを収容可能なサイズを有している。この外ケース２０の具体的構成は必要に応じて種々変更することが可能である。たとえば、図示していないけれども、照明器具１０やプラグ５１を備えるリード線４０を収納するための凹所を備えたプラスチック成形体でなる受板と、この受板に被せられるプラスチック成形体でなるカバー体と、受板の下面やカバー体の内側に配備される厚紙製の台紙などを用いて外ケース２０を形成することが可能である。そして、そのような構成の外ケース２０では、それに収容されている照明器具１０の実際の発光を外部から目で見ることができるようにするための対策の講じられていることが要求される。その具体的対策としては、たとえば、上記カバー体を透明とし、カバー体の内側に配備される厚紙製の台紙に開口を具備させておき、それらの台紙の開口やカバー体によって構成される透光部を通して、照明器具の実際の発光を透過させるようにした構成を採用することが可能である。
【００２１】
電極部３０は、縦長偏平な外ケース２０の上端外面の２箇所に並べて露出状態で固定された円形ぼたん状の電極でなる。この電極部３０を形成している２つの電極は、２つの照明器具１０，１０に共用されている。そして、個々の電極から外ケース２０の内部に向けてリード線４０，４０が引き出されている。
【００２２】
単一のプラグ５１からは２本の電気コード５０，５０が引き出されていて、それらの電気コード５０が、上記した２つの照明器具１０に個別に対応している。
【００２３】
上記した照明器具包装において、照明器具１０の入力部１３と、電路を形成しているリード線４０、及び、電気コード５０は、コネクタ６０によって互いに接続離脱可能になっている。図例では２組のコネクタ６０が用いられていて、そのうちの１組のコネクタ６０が、１つの雌型のコネクタ６１と、その雌型のコネクタ６１に対して接続離脱可能な２つの雄型のコネクタ６２，６３と、によって構成されている。それぞれのコネクタ６１，６２，６３の極数は２極である。そして、細長い帯状の２つの発光部１１，１１のそれぞれの一端部から引き出された引出し線１４，１４の各端部に雌型の上記コネクタ６１，６１が設けられている。これらの雌型のコネクタ６１，６１のそれぞれは、上記した一方側コネクタ６１に相当している。これに対し、２つの雄型のコネクタ６２，６３のうち、上記した電路を形成しているリード線４０の端部に設けられている雄型のコネクタ６２は、上記した一方側コネクタ６１に対応する他方側コネクタ６２に相当している。このコネクタ６２は上記のように２極を有していて、一方側の極が一方側のリード線４０に接続され、他方側の極が他方側のリード線４０に接続されている。さらに、２つの雄型のコネクタ６２，６３のうち、上記した電気コード５０の端部に設けられている雄型のコネクタ６３は、上記した一方側コネクタ６１に対応する相手方コネクタ６３に相当している。このコネクタ６３も上記のように２極を有していて、電気コード５０に接続されている。したがって、照明器具１０側の引出し線１４に設けられている雌型のコネクタ６１に対して、上記した他方側コネクタ６２に相当する雄型のコネクタ６２と、上記した相手型コネクタ６３に相当する雄型のコネクタ６３とを選択的に接続することが可能である。
【００２４】
図２は照明器具包装の正面視外観を説明的に示した正面図である。同図のように、縦長偏平な外ケース２０に、照明器具１０と、照明器具１０に備わっている入力部１３と、プラグ５１を備えた電気コード５０とが所定のレイアウトで収容されている。また、外ケース２０の上端外面に露出状態で並べて固定されている２つの電極部３０，３０から外ケース２０の内部に向けて引き出されているリード線４０の個々の端部に設けられている雄型の他方側コネクタ６２が、上記リード線１４の端部の雌型の一方側コネクタ６１に接続されている。これに対し、電気コード５０の端部に設けられている雄型の相手方コネクタ６３は、雌型の一方側コネクタ６１から離脱した状態になっている。
【００２５】
図２に示した外ケース２０には、その上端から上方へ突き出た突片２１が設けられていて、その突片２１に吊下げ孔２２が形成されている。したがって、突片２１の吊下げ孔２２を店頭の陳列棚に備わっている吊下げピン（不図示）に挿入して吊り下げると、照明器具包装を吊下げ状態で店頭に陳列することができる。
【００２６】
以上説明した照明器具包装を陳列棚から選択して取り出したユーザが、その外ケース２０に備わっている電極部３０を商用電源やバッテリーに接続すると、商用電源やバッテリーの電力が電極部３０、リード線４０によって形成されている電路、入力部１３を経て発光部１１の発光素子１２に供給される。そのため、商用電源やバッテリーの電力が発光素子１２の駆動電力として使用されて照明器具１０の発光部１１が発光する。このときの発光は、外ケース２０の上記した透光部を通して外部に出てくるので、ユーザは、外ケース２０を開いて照明器具１０を取り出すことなく、照明器具１０の実際の発光色や明るさを目で容易に確かめることが可能になる。
【００２７】
図３には照明器具１０を発光させる際に用いられるホルダー７０を部分斜視図で示し、図４にはそのホルダー７０に照明器具包装をセットした状態を縦断面図で示してある。
【００２８】
ホルダー７０は、縦長矩形のベース板７２の前面上端部に庇状のフード部７３を一体に具備させた樹脂成形体でなるホルダー本体７１と、上記フード部７３の天板７４の下向きの内面の２箇所に設けた電源電極７５とを有する。この電源電極７５は、上記した照明器具包装の電極部３０に対応している。そして、電源電極７５から延び出た電気コード７６の端部に交直変換変電機能を備えたアダプタ７７が設けられている。また、フード部７３の天板７４には横長スリット状の位置決め孔７８が備わっている。
【００２９】
図３に示したホルダー７０に備わっている横長スリット状の位置決め孔７８は、同図に示した照明器具包装の外ケース２０に備わっている突片２１の幅と略同一幅になっている。そして、フード部７３に外ケース２０の上端部を矢印Ｕのように上向きに挿入して、その突片２１を上記位置決め孔７８に挿入すると、外ケース２０側の電極部３０が、ホルダー７０側の電源電極７５に対峙した状態に位置合わせされた後に、それらが互いに重なり合うようになっている。
【００３０】
したがって、店頭の陳列棚の定位置にホルダー７０を固定し、アダプタ７７を商用電源に接続しておくと、照明器具包装を陳列棚から選択して取り出したユーザが、その外ケース２０の上端部をフード部７３に上向き（図３矢印Ｕ）に挿入していくことによって突片２１を位置決め孔７８に挿入すると、外ケース２０側の電極部３０がホルダー７０側の電源電極７５に突き合わされて図４のように電気的に重ね接続される。このため、上記したように照明器具１０の発光部１１が発光し、その発光が外ケース２０の透光部を通して外部に出てくるので、ユーザは、外ケース２０を開いて照明器具１０を取り出すことなく、照明器具１０の実際の発光色や明るさを目で容易に確かめることが可能になる。
【００３１】
図３では商用電源の電力を利用して照明器具１０を発光させる事例を説明したけれども、この点は、たとえば、電源電極７５をバッテリーに接続する構成を採用しておくと、バッテリの電力が照明器具１０の発光に利用されるようになる。なお、図３において、符合２３は透光部を示している。
【００３２】
以上説明した実施形態では、外ケース２０側の電極部３０が、縦長偏平な外ケース２０の上端外面に露出状態で固定されている事例を説明したけれども、その電極部３０を外ケース２０の他の箇所の外面に露出状態で固定しておくことも可能である。この事例を図５に示してある。
【００３３】
図５は変形例による照明器具包装の外観斜視図である。この事例では、外ケース２０側の電極部３０を、外ケース２０の背面の２箇所に露出状態で固定している。このような外ケース２０に対しては、その背面の電極部３０を押し当てることのできる電源電極を備えたホルダー（不図示）が組み合わされる。そのようなホルダーとしては、たとえば、ベース板の板面に電源電極を固定した構成のものを採用することが可能である。
【００３４】
図６は他の実施形態に係る照明器具包装を説明的に示した正面図である。同図の照明器具包装において、外ケース２０は立方体形状ないし直方体形状に形成されていて、その内部に、ＬＥＤ発光素子を備えた照明器具１０としての電球が収容されている。照明器具１０としての電球は、球状の発光部１１と発光部１１の一部を覆う放熱部１５と、入力部１３としての口金を備えている。そして、外ケース２０の外面に電極部３０が固定されていて、その電極部３０に、外ケース２０の内部に向けて延び出た接片３１が連設されている。このものでは、電路が接片３１によって形成されていて、その接片３１が、外ケース２０に収容されている照明器具１０の入力部１３に接触して電気的接続されている。また、外ケース２０に透光部２３が設けられている。
【００３５】
このものによっても、図示していないホルダーの電源電極に上記電極部３０を突き合わせて重ね接触させると、照明器具１０が発光し、その発光が透光部２３から出てくるので、ユーザが発光色や明るさを直接目で見て確かめることができる。
【符号の説明】
【００３６】
１０  照明器具
１１  発光部
１２  発光素子
１３  入力部
２０  外ケース
２１  突片
２３  透光部
３０  電極部
３１  接片
４０  リード線（電路）
５０  電気コード
５１  プラグ
６０  コネクタ
６１  一方側コネクタ
６２  他方側コネクタ
６３  相手方コネクタ
７０  ホルダー
７５  電源電極
７８  位置決め孔
【図１】
0003175663.tif 000003
【図２】
0003175663.tif 000004
【図３】
0003175663.tif 000005
【図４】
0003175663.tif 000006
【図５】
0003175663.tif 000007
【図６】
0003175663.tif 000008